(57)【要約】  本発明は、靴底（１３）を曲げて着用者が足を回動できるような柔軟性を有する靴底（１３）と、着用者の足首を覆い、また、舌部間隙部分（１４）横方向に隣接する側方部（１４ｂ，１４ｃ）が硬質のアッパー生地（２６）からなるシャフト部（１２）と、舌部間隙部分（１４）を横切ってフックおよび／または紐穴部品（２０）を通して掛け回す靴紐（１８）とを備える靴（１０）を提供する。靴（１０）の足前部分（１２ｃ）では、少なくとも１つのタブ（２８）が、少なくとも１つのフックおよび／または紐穴部品（２０）を配置するために舌部間隙部分（１４）の両側に設けられ、前記タブは、アッパー生地（２６）より柔軟性が高い材料で作られ、固定部分（２８ｂ）と支持部分（２８ａ）を有する。さらに、前記フックおよび／または紐穴部品（２０）が、支持部分（２８ａ）上に設置される。【選択図】図１
2013529996.tif 000002
【特許請求の範囲】
【請求項１】
靴（１０）において、
靴底（１０）が、着用者が靴（１０）を履いているときに、靴底（１３）を曲げて、足を回動できるような柔軟性を有する靴底（１３）と、
着用者が靴（１０）を履いているときに着用者の足首を覆うシャフト部（１２）であって、さらに、少なくとも着用者の足指部分および舌部間隙部分（１４）に隣接する側方部分（１４ｂ，１４ｃ）が、硬質のアッパー生地（２６）で作られているシャフト部（１２）と、
靴紐（１８）であって、前記舌部間隙部分（１４）にわたって、前記舌部間隙部分（１４）に隣接する前記アッパー生地（２６）の前記横側部分どうし（１４ｂ，１４ｃ）を連結し、剛性の高い材料からなるフックおよび／または紐穴部品（２０）に掛け回す靴紐（１８）を備える、靴（１０）であって、
靴（１０）の足前部分（１２ｃ）において、少なくとも１つのタブ（２８）が、少なくとも１つのフックおよび／または紐穴部品（２０）を配置するために前記舌部間隙部分（１４）の両側（１４ｂ，１４ｃ）に設けられ、前記タブは、前記アッパー生地（２６）と別体部材からなるとともに、前記アッパー生地（２６）と比較してより柔軟性が高い材料からなり、
前記タブ（２８）は、前記アッパー生地（２６）と前記舌部（１６）および前記シャフト部（１２）を連結する舌部ポケット（１６ａ）との間に固定される固定部分（２８ｂ）、ならびに、支持部分（２８ａ）であって、前記フックおよび／または紐穴部品（２０）が支持部分（２８ａ）上に配置され、前記フックおよび／または紐穴部品（２０）に強固に連結した、支持部分（２８ａ）を備えることを特徴とする靴。
【請求項２】
少なくとも１つのフックおよび／または紐穴部品（２０）は、好ましくは１個のリベット（２０ａ）によって、連結するタブ（２８）に留められることを特徴とする請求項１に記載の靴。
【請求項３】
少なくとも１つのフックおよび／または紐穴部品（２０）、好ましくは複数のフックおよび／または紐穴部品、さらにより好ましくは全てのフックおよび／または紐穴部品を、前記連結するタブ（２８）上のみに配置することを特徴とする請求項１または２に記載の靴。
【請求項４】
前記タブ（２８）は、軟質のおよび／または薄いレザーおよび／またはマイクロファイバー材料および／または織物材料からなることを特徴とする請求項１から３のいずれか１項に記載の靴。
【請求項５】
前記アッパー生地（２６）を、前記タブ（２８）に、また所望の場合、同様に前記舌部ポケット（１６ａ）に連結する、前記舌部間隙部分（１４）に隣接する側方部（１４ｂ，１４ｃ）にある縫い目（３０）が、階段状に伸長することを特徴とする請求項１から４のいずれか１項の特徴付け部分に記載の靴。
【請求項６】
前記階段形状の伸張部（Ｅ）の中心方向と靴（１０）を履く着用者の足の甲ライン（Ｒ）とは、１５°と２５°との間の角度をもち、好ましくは、靴の足首部分（１２ｅ）の方向に伸長することを特徴とする請求項５に記載の靴。
【請求項７】
前記階段形状の２つの隣接する凹状コーナー（３０ｂ）間の距離は、２つの隣接するフックおよび／または紐穴部品（２０）間の距離（Ｄ）に等しいことを特徴とする請求項５または６に記載の靴。
【請求項８】
前記階段形状の少なくとも１つの凸状コーナー（３０ａ）、好ましくは複数の凸状コーナーは、２つの隣接するタブ（２８）間に配置することを特徴とする請求項５から７のいずれか１項に記載の靴。
【請求項９】
前記舌部（１６）には、少なくとも前記靴の足前部分の長手方向部分に、柔軟性が高い少なくとも１つの部分（３２）が設けられることを特徴とする請求項１から８のいずれか１項に記載の靴。
【請求項１０】
柔軟性を増した前記少なくとも１つの部分（３２）は、より柔軟性の高い材料が使用される部分、および／または、適用可能である場合さらに、前記舌材料の厚さが減らされて穿孔を形成する部分であることを特徴とする請求項９に記載の靴。
【請求項１１】
柔軟性を増した前記少なくとも１つの部分（３２）の寸法は、前記甲ライン（Ｒ）方向に比べて、横方向（Ｑ）に長いことを特徴とする請求項９または１０に記載の靴。
【発明の詳細な説明】
【技術分野】
【０００１】
本発明は、以下に記載した特性を有する靴に関する。
・靴底を曲げて、足を回動できる程度に高い柔軟性をもつ靴底。
・少なくとも、つま先部分と、舌部間隙部分に隣接する側方部分とで足首を覆い、概ね硬質のアッパー生地からなり、例えば約２ｍｍ厚である革製シャフト部。
・舌部間隙部分を横切って伸長し、前記部分に隣接するアッパー生地側方部分どうしを連結する靴紐であって、金属または剛性プラスチック材料などの剛性の高い材料で作られたフックおよび／または紐穴に通して掛け回す靴紐。
【背景技術】
【０００２】
上記特性をもつタイプの靴には、歩行中靴底が曲がるために、足を動かすとき舌部間隙部分の下部端縁部に隣接するアッパー生地に凹みが生じ、足の前部を上から圧迫するという欠点がある。靴の変形によって生じるこの圧迫力は、まさにその圧迫力自体が不快感をもたらす。さらに、主に靴着用者の体重によって、足から靴底に働く足底圧力が増大するため、さらに一層不快感が増す。また、靴底の圧力増大は足への作用が大きいため、急速に足が疲労する。上記作用は、靴底での足の炎症、まめの形成等となって現れることがある。
【０００３】
前記欠点は、着用者がいわゆるトレッキングシューズを履いた時に、よく経験する欠点であって、一般にトレッキングシューズでは、アッパー生地にフックおよび／または紐穴部品を、例えばリベット留めすることによって、舌部間隙部分端縁部に隣接するアッパー生地にしっかりと繋ぎ止めているからである。
【０００４】
一方、このような欠点は、着用者がいわゆるハイキングシューズを履いた時には、経験しないか、またはほとんど経験しないものである。その理由は、ハイキングシューズのアッパー生地が、トレッキングシューズのアッパー生地より柔軟性があるからである。この柔軟性によって、歩行中に生じるアッパー生地の変形が一層均一に分散するので、その結果、足に作用する圧迫力がずっと小さくなる。
【０００５】
また、前記欠点は、着用者がマウンテンブーツ、特に難しい地形および／または登山用に設計したマウンテンブーツをはいた時に、経験しないかまたはわずかにしか経験しない。その理由は、マウンテンブーツが、概ね、歩行中は事実上変形しない剛性靴底を有するからである。この剛性靴底によって、アッパー生地が歩行中に変形しないために、前記した圧迫力が、大きな程度では生じなくなる。
【０００６】
また、柔軟性穴輪を用いて靴紐を掛け回すタイプの靴がある。例えば、前記柔軟性穴輪としては、織物材料製の穴輪のみならずアッパー生地で形成できる穴輪が挙げられる。このような穴輪を用いた靴では、フックおよび／または紐穴部品の固定箇所のために、アッパー生地には全く剛性がなくなる。この理由だけでは、一般的な靴の場合に比べて前記圧迫力が増大することはない。しかし、こうした靴は、柔軟性をもつ穴輪で擦り切れおよび引裂き損傷が大きいという欠点を有する。
【０００７】
また、アッパー生地のタブ様舌状部に、紐穴を挿入した靴が知られている。こうした靴では、靴紐をアッパー生地に通すので、アッパー生地の下で延びる靴紐の各部分によってアッパー生地が持上げられる。
【発明の概要】
【発明が解決しようとする課題】
【０００８】
以上述べてきた観点から、本発明が解決しようとする課題は、アッパー生地の変形によって生じ、足底圧力を増加させる、前記圧迫力を低減する、先に述べた靴を開発し提供することである。なお、前記圧迫力は、概ね、硬質のアッパー生地を使用しても、靴底を曲げて足を回動できる柔軟性をもつ靴底を使用しても、または、剛性の高い材料で作ったフックおよび／または紐穴部品を使用しても低減できる。
【課題を解決するための手段】
【０００９】
本発明の目的は、先に述べたタイプの靴によって達成できる。こうした靴では、靴の足前部分において、少なくとも１つのタブが、少なくとも１つのフックおよび／または紐穴部品を配置するために舌部間隙部分の両側に設けられる。前記タブは、アッパー生地とは別体で作られ、かつ、アッパー生地よりも柔軟性がある材料で作られる。また、前記タブは、アッパー生地と、舌部およびシャフト部を連結する舌部ポケットとの間に固定した固定部分と、支持部分とからなる。前記支持部分は、その上にフックおよび／または紐穴部品が配置され、同様にしっかりと連結する。
【００１０】
本発明によれば、少なくとも１つのフックおよび／または紐穴部品は、連結するタブの支持部分にもっぱらしっかりと連結される。特に、少なくとも１つのフックおよび／または紐穴部品は、アッパー生地に直接しっかりと連結されるのではなく、むしろ、アッパー生地と舌部ポケットとの間に固定されるタブの支持部分および固定部分によって間接的に連結される。このように構成することで、フックおよび／または紐穴部品と、概ね剛性であるアッパー生地との間の連結が堅固となる。この効果によって、従来のトレッキングシューズで着用者が経験する、舌部間隙部分に隣接する側方部のアッパー生地から生じる圧迫力がなくなる。  上記利点と共に、前記フックおよび／または紐穴部品は他の利点も有する。特に、前記フックおよび／または紐穴部品は、柔軟性穴輪に比較して擦り切れおよび引裂き損傷を受けにくい。さらに、前記フックおよび／または紐穴部品が固定部分上に配置されることから、前記固定部分は、靴の表面上に平らに配置されるので、靴の表面から部分的にでも突出することがなく、タブに導入する紐穴の場合も同様にして突出しない。
【００１１】
タブの固定部分とアッパー生地との間の連結は、例えば縫い合わせることで結び合わせることができる。例えば、こうして形成した連結部分は、２つの隣接するフックおよび／または紐穴部品間の距離に相当する長さにわたって伸長する。この構成によっても剛性が高くなる効果を低減できる。
【００１２】
少なくとも１つのフックおよび／または紐穴部品とタブの支持部分との間を確実な方式で強く連結するために、特に、確実にかつ擦り切れおよび引裂き損傷がほとんど生じないように靴紐による力をタブにかけることができるように、少なくとも１つのフックおよび／または紐穴部品を、好ましくは単一のリベットを用いて前記タブにリベット留めする方法が提供できる。
【００１３】
本発明の方法が最適で高度な融通性をもつために、本発明の実施形態の変更例では、少なくとも１つのフックおよび／または紐穴部品、好ましくは複数のフックおよび／または紐穴部品、さらにより好ましくは全てのフックおよび／または紐穴部品が、連結するタブ上に単一方式で配置する方法を提供する。しかし、原理上、継手タブ上に複数のフックおよび／または紐穴部品を配置することも考えられる。その場合、フックおよび／または紐穴部品の１つまたは複数の部品が各舌状部に連結している状態で、前記継手タブが、たとえばアッパー生地の下から、アッパー生地を超えて突出する複数の舌状部をさらに有することもできる。また、全てのフックおよび／または紐穴部品を、舌部間隙部分を取り囲む１つの継手タブ上に配置することも可能である。
【００１４】
アッパー生地の硬さに比べ、タブにより高い柔軟性をもたせるために、前記タブは、軟らかい、および／または薄い革および／またはマイクロファイバーおよび／または織物材料で作ることができる。
【００１５】
アッパー生地と比較してより柔軟性がある材料で作ったタブ上にフックおよび／または紐穴部品を固定するという方法に加えて、または同方法の代わりに、本発明の目的を、前記部品の代わりに前記したタイプの靴によっても達成することができる。このような靴では、アッパー生地、および、タブ（２８）、また所望の場合、同様に舌部ポケットを縫い合わせて連結する、舌部間隙部分の端縁部と隣り合って位置する縫い目が、階段状に伸長する。この階段形状の凹状コーナーは、アッパー生地側方部が好ましく変形できる場所である。前記変形は、凹状コーナーの屈曲半径が減少するにつれてより容易に変形できる。このように構成することで、アッパー生地の変形が舌部間隙部分の下側端の部分のみに生じるのを防止できる。つまり、アッパー生地は、舌部間隙部分の全長にわたって変形できる。上記方法によっても本発明の目的は達成できるので、上記方法を別特許とすることもできるかもしれない。しかし一方では、言うまでもないことではあるが、独立して特許性がある２種類の方法は、互いに相補的であり、１個の同じ靴のために同時に使用することも可能である。
【００１６】
階段形状の柔軟化作用は、階段形状の伸張部の中心方向と靴の着用者の足の甲ラインとの角度が、約１５°から約２０°の間になる場合、好ましくは、着用者の概ね足首方向に延びる場合、さらに増大する。本発明の内容上、「伸張部の中心方向(center direction of extension)」は、縫い目の階段状軌跡の階段の凸状コーナーと凹状コーナーとの間でほぼ中心に延びる仮想ラインであると理解できる。舌部間隙部分の端縁部が、概ね真っすぐなラインで伸長する従来のトレッキングシューズの場合、伸張部の中心方向は、着用者の足の甲ラインにほぼ平行に延びる。
【００１７】
この点、靴一般に関していえば、この用語の厳密な意味で「真っすぐなライン(straight line)」軌跡が存在するのではなく、むしろ、せいぜい非常に大きな屈曲半径を有する軌跡が存在すると留意するべきである。本発明の内容上、所与の軌跡部分の柔軟化によって、前記部分の屈曲半径が、舌部間隙部分の両側の靴の足前部分に配置されるフックおよび／または紐穴部品の平均距離の半分より小さい、好ましくは前記平均距離の１／１０より小さくなる。また、前記屈曲ラインは、少なくとも軌跡方向が少なくとも６０°だけ、好ましくは少なくとも８０°だけ変化するまで伸長する。一方、概ね真っすぐな軌跡は、それぞれの部分の屈曲半径が、靴の足前部分内の舌部間隙部分の長手方向伸張部より大きいときの軌跡である。
【００１８】
さらに、舌部間隙部分の端縁部の正確な軌跡は、靴の着用者の足の甲の高さに依存することに留意するべきである。記載の「甲ラインに概ね平行である」は、本発明の文脈上で参照足として使用した、平均甲高さを有する足に係る。
【００１９】
階段形状を設けることでできる柔軟化は、階段形状の２つの隣接する凹状コーナー間の距離が２つの隣接するフックおよび／または紐穴部品間の距離に概ね等しくすることにより、および／または、階段形状の少なくとも１つの凹状コーナー、好ましくは複数の凹状コーナーが２つの隣接するタブ間に概ね配置することにより、さらに改善することが可能である。
【００２０】
独立して特許性がある２つの方法以外に、靴の足前部分に作用する圧迫力は、舌部が、少なくとも靴の足前部分と連結するその長手方向部分において、柔軟性が増大した少なくとも１つの部分を設けることによって、一層低減できる。例えば、この柔軟性を増した部分には、より柔軟性を有する材料が使用される箇所、および／または、舌部材料の厚さが減らされる箇所であって、極端な場合には穿孔を形成する。
【００２１】
また、柔軟性が増加した少なくとも１つの箇所の寸法が、甲ラインの方向に比べて、横方向に大きいようにしてもよい。
【００２２】
本発明は、添付図面を使用して実施形態によって以下でより詳細に説明される。
【図面の簡単な説明】
【００２３】
【図１】本発明による靴の斜視図である。
【図２】図１による靴のアッパー生地上に紐穴部品を保持するタブ固定状態を説明するための断面図である。
【図３】用語「伸張部の中心方向」を説明するための図である。
【発明を実施するための形態】
【００２４】
図１は、全体において、番号１０によって本発明の靴を示す。靴１０は、高さがあるシャフト部１２、すなわち、着用者の足首の上に達し、かつ、歩行中に靴１０の着用者が足を回動できる靴底１３に固定されるシャフト部を備える。シャフト部の上側(upper)端縁部１２ａから、舌部間隙部分１４が延在し、靴の先端１２ｂの方向に延びる。舌部間隙部分１４は、舌部ポケット１６ａ（図２参照）を介してシャフト部１２に、通常、連結される、例えば、シャフト部に縫い付けられる舌部１６によってシャフト部１２の内部で覆われる。靴１０は、紐１８によって締上げられ、紐１８は、舌部間隙部分１４に隣接する側方部１４ｂおよび１４ｃに沿ってシャフト部１２に固定される紐穴部品２０および２１を通してシャフト部１２の靴の足前部分甲部分１２ｃで横方向に伸長させて交差させる。さらに、シャフト部１２の下側大腿部分１２ｄにおいて、フック部品２２が、舌部間隙部分に隣接する側方部１４ｂおよび１４ｃに隣接して設けられる。最後に、舌部１６上に、概ねフック部品２２の高さに、舌部センタリングユニット２４が、例えばリベット留めで固定される。
【００２５】
本発明によれば、紐穴部品２０は、靴１０のアッパー生地２６に直接連結されるのではなく、むしろ、タブ２８を介して間接的に連結されるだけである。図示する例では、各紐穴部品２０は、それ自身のタブ２８上に固定される、すなわち、紐穴部品２０と連結するタブ２８は、別個に形成した部品である。各タブ２８は、支持部分２８ａを有し、それと連結する紐穴部品２０が、支持部分２８ａ上に位置決めされ、たとえばリベット２０ａによって支持部分２８ａと連結される。支持部分２８ａおよび固定部分２８ｂは、一体化して連結され、前記固定部分は、靴のアッパー生地２６の下に達し、そして、前記アッパー生地に、所望される場合、同様に図２に示す舌部ポケットに、たとえば縫い目３０、好ましくは二重の縫い目によって連結される。
【００２６】
また、図示した実施形態で、舌部間隙部分１４の両側で、靴の足前部分に連結しているそれぞれの一番上のフックおよび／または紐穴部品、すなわちフック部品２３は、２つのリベットによってその連結するタブ２８に連結してもよい。このように構成することによって、フック部品２３の特別に安定した固定を保証するためである。その理由は、靴の足前部分から下部大腿部分への領域において、大腿に対する足の動きのために足首関節部分には、特に大きな力が、足首関節の部分で足の甲ライン方向で、フックおよび／または紐穴部品に作用するからである。
【００２７】
本発明によれば、舌部間隙部分１４の横方向境界を定めるアッパー生地２６の側方部１４ｂおよび１４ｃが、階段状に延びるだけでなく、シャフト部１２の靴の足前部分１２ｃ内のタブ２８をアッパー生地２６に連結する縫い目３０もまた、階段状に延びる。具体的には、前記縫い目は指定した距離ｄだけ離れているため、概ね、アッパー生地２６の側方部１４ｂおよび１４ｃと同じ階段状軌跡をたどる。
【００２８】
紐穴部品２０がアッパー生地２６に直接連結されていないため、紐穴部品２０の連結するリベット２０は、アッパー生地２６の剛性を高めることができない。しかし、こうした剛性を高める作用が低下することは、縫い目３０に起因する。その理由は、各紐穴部品２０のエリアにおいて、前記縫い目が、２つの隣接する紐穴部品２０間の平均距離Ｄに一致する長さにわたってアッパー生地に連結されるからである。さらに、縫い目３０を形成するスレッドは、柔軟材料で作られる。
【００２９】
剛性が高くなる影響を低減する別の構成としては、縫い目３０の階段状軌跡に基づくものである。具体的には、本発明によれば、縫い目３０の凸状コーナー３０ａは、好ましくは、２つのタブ２８が隣接する位置に配置する。したがって、凹状コーナー３０ｂは、タブ２８の伸張部のほぼ中心で甲ラインＲの方向に位置する。こうして、凹状コーナー３０ｂでは、アッパー生地２６の側方部１４ｂ、１４ｃの柔軟性が増加した箇所となる。
【００３０】
図１に示すように、縫い目３０は、概ねシャフト部１２の足首部分１２ｅに向かって延びる。より具体的には、伸張部の中心方向Ｅにあてはまり、伸張部の中心方向Ｅは、図３によれば、縫い目３０の凸状コーナー３０ａと凹状コーナー３０ｂとの間を、概ね中心に対して延びる。好ましくは、伸張部の中心方向Ｅと甲ラインＲがなす角度αは、約１５°と約２５°との間、好ましくは約２０°の値となる。
【００３１】
靴１０の着用者が、足を回動できるような柔軟性をもたせるための別の方法は、舌部１６の靴の足前部分に柔軟性を増した部分３２を設けることである。図示した例では、これらの部分３２は、舌部１６の境界を画定する材料を穿孔し、舌部１６により柔軟性の高い材料、たとえばパッディング材料でこれらの穿孔を裏当てすることによって形成する。好ましくは、部分３２の横方向Ｑの寸法は、甲ラインＲ方向に比べて大きい。
【図１】
2013529996.tif 000003
【図２】
2013529996.tif 000004
【図３】
2013529996.tif 000005
【国際調査報告】
2013529996.tif 000006
2013529996.tif 000007
2013529996.tif 000008
2013529996.tif 000009
2013529996.tif 000010